(57)【要約】【課題】二次電池のエンクロージャ内の圧力が高まった場合には、その圧力をエンクロージャ外に逃がすことができるとともに、その際にエンクロージャから噴出された気流が直線的な経路で掃除機筐体の開口を通って外部に排出されることを抑制可能な電気掃除機を提供する。【解決手段】電気掃除機において、内部に二次電池１１３が収容された掃除機筐体１００と、掃除機筐体１００の内部に配置され、二次電池１１３の周囲を包囲して設けられるエンクロージャ１０と、を備える。エンクロージャ１０は、内部と外部と連通する孔が形成された多孔構造部１１を備える。掃除機筐体１００は、多孔構造部１１に通じる掃除機筐体１００の内部と掃除機筐体１００の外部とを連通する第２の排気口１４２が形成された開口形成面１５０を備える。多孔構造部１１は、開口形成面１５０と対向しないエンクロージャ１０の面に配置される。【選択図】図１
2019037308.tif 000002
【特許請求の範囲】
【請求項１】
内部に二次電池が収容された掃除機筐体と、
前記掃除機筐体の内部に配置され、前記二次電池の周囲を包囲して設けられるエンクロージャと、を備え、
前記エンクロージャは、前記エンクロージャの内部と外部と連通する孔が形成された孔部を備え、
前記掃除機筐体は、前記孔部に通じる前記掃除機筐体の内部と前記掃除機筐体の外部とを連通する開口が形成された開口形成面を備え、
前記孔部は、前記開口形成面と対向しない前記エンクロージャの面に配置される電気掃除機。
【請求項２】
前記掃除機筐体の内部には、集塵部を通過した気流の風路が形成され、
前記二次電池及び前記エンクロージャは、前記風路中に配置され、
前記開口は、前記風路の排気口である請求項１に記載の電気掃除機。
【請求項３】
前記掃除機筐体の内部に設けられ、前記孔部から排出された気流を前記開口へと誘導する誘導部材をさらに備えた請求項１又は請求項２に記載の電気掃除機。
【請求項４】
前記掃除機筐体には、使用者が手で持って前記掃除機筐体を使用状態で支持するための取っ手部が設けられ、
前記開口形成面は、前記使用状態において斜め前上方を向く面であり、
前記取っ手部は、前記掃除機筐体の前記開口形成面とは異なる面に設けられる請求項１から請求項３のいずれか一項に記載の電気掃除機。
【請求項５】
前記掃除機筐体の内部における前記孔部から前記開口へと通じる途中の箇所に設けられたフィルタをさらに備え、
前記フィルタの目開きは、前記孔部の孔の大きさより小さい請求項１から請求項４のいずれか一項に記載の電気掃除機。
【請求項６】
前記フィルタは、不燃性材料からなる請求項５に記載の電気掃除機。
【請求項７】
前記孔部は、複数の孔が形成された多孔構造部である請求項１から請求項６のいずれか一項に記載の電気掃除機。
【請求項８】
前記二次電池の充電及び放電を制御する回路が設けられた基板をさらに備え、
前記基板は、前記エンクロージャの内側に配置される請求項１から請求項７のいずれか一項に記載の電気掃除機。
【請求項９】
前記掃除機筐体の内部には、前記二次電池を収容するための電池室が形成され、
前記エンクロージャは、前記電池室の形状に合わせた外形を有する請求項１から請求項８のいずれか一項に記載の電気掃除機。
【請求項１０】
前記孔部の孔の大きさは、消炎距離以下である請求項１から請求項９のいずれか一項に記載の電気掃除機。
【発明の詳細な説明】
【技術分野】
【０００１】
この発明は、電気掃除機に関するものである。
【背景技術】
【０００２】
電気掃除機においては、複数の二次電池を束ねて電線を取り付けた電池パックを内部に収納した電池パック収納部と、内部に電池パック収納部を収容し、内部の空気を外部へ排気する排気口が形成されたハウジングと、を備え、電池パック収納部の排気口側の排気側壁部に、空気を電池パック収納部外へ流出させるための流出孔が形成されているものが知られている（例えば、特許文献１参照）。
【先行技術文献】
【特許文献】
【０００３】
【特許文献１】特開２００２−２９１６６９号公報
【発明の概要】
【発明が解決しようとする課題】
【０００４】
特許文献１に示される電気掃除機においては、電池パックの異常等により、電池パック収納部内の圧力が急激に高まった場合に、電池パック収納部の流出孔から高速の気流が放出されることが考えられる。特許文献１に示される電気掃除機においては、電池パック収納部の流出孔が、電池パック収納部の排気側壁部に形成されている。すなわち、電池パック収納部の流出孔がハウジングの排気口側にある。このため、電池パック収納部の流出孔から放出された高速の気流がハウジングの排気口まで直線的な経路で到達し、そのままハウジングの排気口から排出されてしまう。また、電池パック収納部内で微細な破片等が生じた場合に、この破片等が、電池パック収納部の流出孔とハウジングの排気口とを直線的に通過して、ハウジング外に飛び出してしまう可能性がある。
【０００５】
この発明は、このような課題を解決するためになされたものである。その目的は、掃除機筐体の内部に収容された二次電池の周囲を包囲するエンクロージャ内の圧力が高まった場合には、エンクロージャ内の圧力をエンクロージャ外に逃がすことができるとともに、その際にエンクロージャから噴出された気流が直線的な経路で掃除機筐体の開口を通って外部に排出されることを抑制でき、エンクロージャ内で微細な破片等が生じた場合であっても、この破片等が掃除機筐体の外部に飛び出してしまうことを抑制可能な電気掃除機を得ることにある。
【課題を解決するための手段】
【０００６】
この発明に係る電気掃除機は、内部に二次電池が収容された掃除機筐体と、前記掃除機筐体の内部に配置され、前記二次電池の周囲を包囲して設けられるエンクロージャと、を備え、前記エンクロージャは、前記エンクロージャの内部と外部と連通する孔が形成された孔部を備え、前記掃除機筐体は、前記孔部に通じる前記掃除機筐体の内部と前記掃除機筐体の外部とを連通する開口が形成された開口形成面を備え、前記孔部は、前記開口形成面と対向しない前記エンクロージャの面に配置される。
【発明の効果】
【０００７】
この発明に係る電気掃除機によれば、掃除機筐体の内部に収容された二次電池の周囲を包囲するエンクロージャ内の圧力が高まった場合には、エンクロージャ内の圧力をエンクロージャ外に逃がすことができるとともに、その際にエンクロージャから噴出された気流が直線的な経路で掃除機筐体の開口を通って外部に排出されることを抑制でき、エンクロージャ内で微細な破片等が生じた場合であっても、この破片等が掃除機筐体の外部に飛び出してしまうことを抑制可能であるという効果を奏する。
【図面の簡単な説明】
【０００８】
【図１】この発明の実施の形態１に係る電気掃除機の全体構成を模式的に示す断面図である。
【図２】この発明の実施の形態１に係る電気掃除機の動作中の空気の流れを説明する図である。
【図３】この発明の実施の形態１に係る電気掃除機の要部を拡大して模式的に示す断面図である。
【図４】この発明の実施の形態１に係る電気掃除機のエンクロージャから噴出した気流が掃除機筐体の外部に排出される経路を説明する図である。
【図５】この発明の実施の形態１に係る電気掃除機の全体構成の別例を模式的に示す断面図である。
【図６】この発明の実施の形態２に係る電気掃除機の全体構成を模式的に示す断面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図５は、この発明の実施の形態１に係るもので、図１は電気掃除機の全体構成を模式的に示す断面図、図２は電気掃除機の動作中の空気の流れを説明する図、図３は電気掃除機の要部を拡大して模式的に示す断面図、図４はエンクロージャから噴出した気流が掃除機筐体の外部に排出される経路を説明する図、図５は電気掃除機の全体構成の別例を模式的に示す断面図である。
【００１１】
以下の説明では、塵埃及びその他のゴミを総称して単に「塵埃」と呼ぶ場合がある。また、塵埃が混じった空気を「含塵空気」と呼ぶ場合がある。そして、塵埃が取り除かれた空気を「清浄空気」と呼ぶ場合がある。
【００１２】
この発明の実施の形態１に係る電気掃除機１は、コードレスタイプの縦型電気掃除機である。電気掃除機１は、図１に示すように、掃除機筐体１００及び集塵部２００を備えている。掃除機筐体１００は、胴体部１１０、管部１２０及び取っ手部１３０を備えている。胴体部１１０は、掃除機筐体１００の中央部分である。胴体部１１０の一端側の面には、管部１２０が設けられている。胴体部１１０の他端側の面には、取っ手部１３０が設けられている。
【００１３】
管部１２０は、中空管状の部材である。管部１２０の一端は、胴体部１１０に取り付けられている。管部１２０の他端には、吸込口１２１が形成されている。吸込口１２１は、塵埃を吸い込むための開口である。管部１２０の内部には、吸込口１２１を通過した含塵空気の気流を集塵部２００へ導く管路が形成されている。
【００１４】
なお、管部１２０の吸込口１２１の部分に、図示しない延長管、吸込具等を接続して使用することも可能である。また、管部１２０の吸込口１２１の部分に吸込具を接続した状態では、吸込具を床面等の上に置き、電気掃除機１をこの吸込具の上方に配置することで、電気掃除機１を直立させることができる。この電気掃除機１が直立した状態を、ここでは「直立状態」とも呼ぶ。
【００１５】
以下においては、この直立状態において、取っ手部１３０に対して管部１２０が位置する方向を電気掃除機１の「下」とし、その反対側を電気掃除機１の「上」として説明する。また、直立状態において、電気掃除機１の上と下とを結ぶ方向に垂直な方向に関し、管部１２０に対して集塵部２００が位置する方を電気掃除機１の「前」とし、その反対側を電気掃除機１の「後ろ」として説明する。
【００１６】
取っ手部１３０は、電気掃除機１の使用中に使用者が手で握る部位である。使用者は、取っ手部１３０を握ることで電気掃除機１を所望の状態で支持することができる。具体的に例えば、吸込口１２１を被清掃面である床面に向け、取っ手部１３０が床面から上方に離れた使用者が持ちやすい位置にある状態で、電気掃除機１を支持することができる。この状態では、床面に対し電気掃除機１が傾斜している。この吸込口１２１を下に向けて電気掃除機１が傾斜した状態を、ここでは「使用状態」とも呼ぶ。取っ手部１３０は、使用者が手で持って掃除機筐体１００を使用状態で支持するためのものであるともいえる。図１中に示す上下前後の矢印は、電気掃除機１が使用状態にある時の各方向である。
【００１７】
集塵部２００は、掃除機筐体１００に着脱可能に取り付けられている。図１に示す構成例では、集塵部２００は、胴体部１１０の下方、かつ、管部１２０の前方に配置されている。集塵部２００は、吸込口１２１から吸い込まれた含塵空気から塵埃を分離し、その塵埃を捕集する。この実施の形態における集塵部２００は、サイクロン分離器を備える。なお、サイクロン分離器を有する集塵部２００に代えて、例えば、集塵袋によって気流を濾過することで塵埃を捕集する集塵部を備えてもよい。
【００１８】
掃除機筐体１００の内部には、電動送風機１１１、二次電池１１３及び基板１１４が収容されている。図１に示す構成例では、電動送風機１１１、二次電池１１３及び基板１１４は、掃除機筐体１００の胴体部１１０の内部に収容されている。電動送風機１１１は、塵埃を吸い込むための気流を発生させる。
【００１９】
二次電池１１３は、電動送風機１１１を駆動するための電源となる。二次電池１１３は、具体的に例えばリチウムイオン・バッテリー（ＬＩＢ）である。二次電池１１３は、充電可能である。掃除機筐体１００の内部には、電池室１１２が形成されている。図１に示す構成例では、電池室１１２は、掃除機筐体１００の胴体部１１０に設けられている。二次電池１１３は、電池室１１２の内側に収容される。
【００２０】
基板１１４には、少なくとも、二次電池１１３の充電及び放電を制御する回路が設けられている。また、同じ基板１１４に、電動送風機１１１の動作を含む電気掃除機１の清掃動作全般を制御する回路も設けるようにしてもよい。
【００２１】
掃除機筐体１００には、第１の排気口１４１及び第２の排気口１４２が形成されている。第１の排気口１４１及び第２の排気口１４２は、掃除機筐体１００の胴体部１１０に配置されている。掃除機筐体１００の内部には、風路が形成されている。この風路は、掃除機筐体１００の胴体部１１０の内部に形成されている。第１の排気口１４１及び第２の排気口１４２のそれぞれは、掃除機筐体１００内部の風路と通じている。電動送風機１１１、二次電池１１３及び基板１１４は、掃除機筐体１００内部の風路中に配置されている。
【００２２】
次に、図２を参照しながら、以上のように構成された電気掃除機１の清掃動作について説明する。電動送風機１１１を動作させて電気掃除機１の清掃動作を開始すると、図２に示す矢印Ａ〜Ｃのような気流が生成される。以下の説明においては、矢印Ａ〜Ｃで示す気流のそれぞれを「気流Ａ」、「気流Ｂ」、「気流Ｃ」と呼ぶ。
【００２３】
まず、吸込口１２１が向けられた被清掃面上の塵埃が、周囲の空気とともに、吸込口１２１から管部１２０の内部に吸い込まれる（気流Ａ）。管部１２０の内部に吸い込まれた含塵空気は、管部１２０から集塵部２００の内部へと入る。集塵部２００に入った含塵空気は、集塵部２００の内部において旋回される（気流Ｂ）。旋回気流Ｂ中の塵埃等の異物には遠心力が働く。したがって、集塵部２００の内部において旋回する気流Ｂ中から、塵埃等の異物が遠心分離される。
【００２４】
集塵部２００で遠心分離により塵埃等の異物が取り除かれた清浄空気は、集塵部２００から掃除機筐体１００の胴体部１１０内の前述した風路に入る。すなわち、掃除機筐体１００の内部に形成される前述の風路は、集塵部２００を通過した気流の風路である。掃除機筐体１００内の前述した風路中の気流Ｃは、まず、電動送風機１１１内を通過する。
【００２５】
電動送風機１１１内を通過した気流は、電池室１１２にぶつかり分かれる。分かれた気流の一方は、電池室１１２の後側に回って、第１の排気口１４１から掃除機筐体１００の外部へと排出される（矢印Ｃ１）。分かれた気流の他方は、電池室１１２の前側に回って、第２の排気口１４２から掃除機筐体１００の外部へと排出される（矢印Ｃ２）。このように、二次電池１１３及び基板１１４は、掃除機筐体１００内部の風路中に配置することで、風路中の気流によって二次電池１１３及び基板１１４を冷却することができる。
【００２６】
次に、図３を参照しながら、二次電池１１３の収容部分に特に関係する構成について説明する。同図に示すように、掃除機筐体１００の胴体部１１０の内部には、エンクロージャ１０が設けられている。エンクロージャ１０は、二次電池１１３の周囲を包囲して設けられている。エンクロージャ１０は、金属等の不燃性の材質からなる中空箱状の部材である。
【００２７】
前述したように、二次電池１１３は、電池室１１２の内側に収容されている。そして、エンクロージャ１０も、二次電池１１３の周囲を包囲しつつ、電池室１１２の内側に配置される。エンクロージャ１０は、電池室１１２の形状に合わせた外形を有する。
【００２８】
エンクロージャ１０は、孔部を備えている。孔部には、エンクロージャ１０の内部と外部と連通する孔が形成されている。ここで説明する実施の形態１においては、この孔部の一例として、エンクロージャ１０は多孔構造部１１を備えている。すなわち、多孔構造部１１は、複数の孔を有している。そして、多孔構造部１１の各孔は、エンクロージャ１０の内部と外部と連通している。多孔構造部１１は、具体的に例えば、パンチングメタル、金属メッシュ等を備えている。なお、エンクロージャ１０の孔部は、複数の孔を有する多孔構造部１１でなく、少なくとも１つの貫通孔を有するものであればよい。
【００２９】
前述したように、掃除機筐体１００には第２の排気口１４２が形成されている。この第２の排気口１４２は、掃除機筐体１００の胴体部１１０における開口形成面１５０に配置されている。開口形成面１５０は、掃除機筐体１００が直立した状態において、前側に配置される面である。
【００３０】
前述したように、第２の排気口１４２は、掃除機筐体１００内の前述した風路と通じている。そして、エンクロージャ１０は、掃除機筐体１００内の前述した風路中に配置されている。したがって、第２の排気口１４２は、エンクロージャ１０の孔部（多孔構造部１１）に通じている掃除機筐体１００の内部と、掃除機筐体１００の外部とを連通する開口になっている。このように、掃除機筐体１００は、孔部と通じた掃除機筐体１００の内部と掃除機筐体１００の外部とを連通する開口が形成された開口形成面１５０を備えている。なお、このような開口は、電気掃除機１の排気口でなくともよい。すなわち、エンクロージャ１０は、集塵部を通過した気流の風路中に配置されていなくともよい。
【００３１】
孔部である多孔構造部１１は、箱状のエンクロージャ１０の複数の面のうち、開口形成面１５０と対向しない面に配置されている。エンクロージャ１０の多孔構造部１１が形成された面には、第１の誘導部材１２が設けられている。この実施の形態１では、第１の誘導部材１２は、板状の部材である。第１の誘導部材１２の一端は、多孔構造部１１が形成された面に固定されている。この第１の誘導部材１２の一端は、多孔構造部１１よりも開口形成面１５０から離れた位置にある。そして、第１の誘導部材１２の他端側は、開口形成面１５０の側へと向けて傾斜して延びるように配置されている。
【００３２】
また、掃除機筐体１００の胴体部１１０の内部には、第２の誘導部材１１６が設けられている。この実施の形態１では、第２の誘導部材１１６は、板状の部材である。第２の誘導部材１１６の一端は、外側が開口形成面１５０である胴体部１１０の部分の内壁面に固定されている。そして、第２の誘導部材１１６の他端側は、第１の誘導部材１２の先端に合わせた位置になるように、傾斜して延びて配置されている。
【００３３】
以上のように構成された第１の誘導部材１２及び第２の誘導部材１１６は、この実施の形態１において、掃除機筐体１００の内部に設けられ、エンクロージャ１０の孔部（多孔構造部１１）から排出された気流を前述の開口、すなわち第２の排気口１４２へと誘導する誘導部材の一例である。
【００３４】
掃除機筐体１００の内部には、フィルタ１１５が設けられている。フィルタ１１５は、エンクロージャ１０の孔部（多孔構造部１１）から、前述した開口、すなわち第２の排気口１４２へと通じる途中の箇所に配置されている。ここでは、フィルタ１１５は、掃除機筐体１００の内部における第２の排気口１４２のすぐ裏側に配置されている。フィルタ１１５は、不燃性材料からなる。また、フィルタ１１５の目開きは、エンクロージャ１０の孔部（多孔構造部１１）の各孔の大きさより小さい。
【００３５】
以上のように構成された電気掃除機１においては、二次電池１１３に異常が発生した場合であっても、この異常によって掃除機筐体１００内に収容された二次電池１１３の周囲の機器等に損傷が生じることを、二次電池１１３を囲うエンクロージャ１０によって抑制できる。
【００３６】
また、二次電池１１３の異常発生によって、エンクロージャ１０の内部の圧力が瞬間的に大きく上昇した場合であっても、エンクロージャ１０に形成された孔部である多孔構造部１１を通して、エンクロージャ１０内の圧力をエンクロージャ１０外に逃がすことができる。したがって、エンクロージャ１０の破壊を伴うことなく、速やかにエンクロージャ１０内の圧力を低下させることができる。
【００３７】
この際、エンクロージャ１０の多孔構造部１１からは、高速の気流が噴出される。前述したように、エンクロージャ１０の多孔構造部１１は、掃除機筐体１００の内部と通じている。そして、多孔構造部１１に通じている掃除機筐体１００の内部空間は、第２の排気口１４２を介して掃除機筐体１００の外部と通じている。したがって、エンクロージャ１０の多孔構造部１１から噴出された気流を、図４中の矢印Ｄに示すように、掃除機筐体１００の内部を通して、第２の排気口１４２から掃除機筐体１００の外部へと排出させることができる。
【００３８】
ここで、前述したように、第２の排気口１４２が配置される掃除機筐体１００の開口形成面１５０と、多孔構造部１１が配置されるエンクロージャ１０の面とは、対向していない。したがって、多孔構造部１１から噴出した高速の気流が、直線的な経路で第２の排気口１４２から噴出してしまうことがない。多孔構造部１１から噴出した気流は、図４中の矢印Ｄに示すように曲がった経路を通って、第２の排気口１４２から掃除機筐体１００の外部へと排出される。
【００３９】
このように、第２の排気口１４２が配置される開口形成面１５０と、多孔構造部１１が配置されるエンクロージャ１０の面とが対向しないようにすることで、多孔構造部１１から第２の排気口１４２に至る経路を、直線状でなく曲がったものにすることができる。そして、このため、仮にエンクロージャ１０の内部で微細な破片が生じた場合であっても、多孔構造部１１を通過した破片が、第２の排気口１４２から掃除機筐体１００の外に飛び出ることを抑制できる。
【００４０】
また、仮にエンクロージャ１０の内部で発光現象が生じた場合であっても、エンクロージャ１０の内部の光が、多孔構造部１１から直接に第２の排気口１４２を通って掃除機筐体１００の外部に出ることがないようにすることができる。したがって、エンクロージャ１０の内部の光を掃除機筐体１００の外部から第２の排気口１４２を通して直接的に視認されることを抑制できる。
【００４１】
なお、多孔構造部１１が設けられるエンクロージャ１０の面は、前述した風路の上流側の面とするとよい。このようにすることで、風路中の気流を多孔構造部１１からエンクロージャ１０の内側に導入することができる。したがって、エンクロージャ１０内の二次電池１１３に直接的に気流を当てて、二次電池１１３をより効果的に冷却できる。また、エンクロージャ１０に多孔構造部１１を設けることで、エンクロージャ１０の軽量化を図ることも可能である。
【００４２】
第２の排気口１４２が形成される開口形成面１５０は、前述したように、電気掃除機１が前述の使用状態にあるときに前側を向く面である。立っている使用者が取っ手部１３０を手に持ち、電気掃除機１を前述の使用状態にすると、図１に示すように、第２の排気口１４２がある開口形成面１５０は斜め前上方を向く。ここで、取っ手部１３０は、掃除機筐体１００の開口形成面１５０とは異なる面に設けられている。そして、取っ手部１３０を手に持った使用者は、当該使用者の側方から前方に掃除機筐体１００がくるように掃除機筐体１００を操作する。このため、開口形成面１５０は、掃除機筐体１００を使用状態で支持する使用者の方とは異なる方を向く。したがって、開口形成面１５０に形成された第２の排気口１４２から排出される気流も、使用者の方とは異なる方向となる。すなわち、第２の排気口１４２から排出される気流が使用者に当たることを抑制できる。
【００４３】
掃除機筐体１００の内部には、エンクロージャ１０の多孔構造部１１から排出された気流を第２の排気口１４２へと誘導する誘導部材として、第１の誘導部材１２及び第２の誘導部材１１６が設けられている。したがって、多孔構造部１１から噴出した気流を、誘導部材によって第２の排気口１４２へと導いて、円滑に掃除機筐体１００の外部に排出させることができる。
【００４４】
この実施の形態１で説明した構成例では、掃除機筐体１００には第２の排気口１４２だけでなく第１の排気口１４１も形成されている。第１の排気口１４１及び第２の排気口１４２の両方ともが掃除機筐体１００内部の風路に通じているため、第１の排気口１４１もこの風路を介してエンクロージャ１０の多孔構造部１１にまで通じている。前述したような誘導部材を備えることで、多孔構造部１１から噴出した気流を第２の排気口１４２の方だけに導いて、第１の排気口１４１からは多孔構造部１１から噴出した気流が排出されないようにすることができる。前述したように、開口形成面１５０に配置された第２の排気口１４２からの排気は、使用者に当たりにくい。したがって、前述の誘導部材によって、多孔構造部１１から噴出した気流を第１の排気口１４１でなく第２の排気口１４２に誘導することで、多孔構造部１１から噴出した気流が使用者に当たることを抑制しつつ、この気流を掃除機筐体１００の外部に排出できる。
【００４５】
前述したように、エンクロージャ１０の多孔構造部１１から第２の排気口１４２へと通じる途中の箇所には、フィルタ１１５が設けられている。このフィルタ１１５の目開きは、多孔構造部１１の各孔の大きさより小さい。このため、多孔構造部１１を通過できるほどの微細な破片であっても、フィルタ１１５で捕捉して、破片が第２の排気口１４２から外部に排出されることを防止できる。また、フィルタ１１５は、不燃性材料からなる。このため、高温に熱せられた状態の破片がフィルタ１１５に接触しても、フィルタ１１５が燃えることがない。
【００４６】
なお、エンクロージャ１０の孔部（多孔構造部１１）の各孔の大きさは、消炎距離以下とするのがよい。具体的に例えば、多孔構造部１１の各孔をφ３ｍｍ以下とする。このようにすることで、仮にエンクロージャ１０の内部で発火現象が生じた場合であっても、炎が多孔構造部１１からエンクロージャ１０の外に出ることを阻止できる。
【００４７】
前述したように、エンクロージャ１０は、電池室１１２の形状に合わせた外形を有する。これまでに説明した構成例では、電池室１１２の断面形状が単純な矩形であった。これに対し、図５に示す別例では、電池室１１２の断面形状が、掃除機筐体１００の形状に合わせて一部が凹んだ六角形（凹六角形）になっている。そして、エンクロージャ１０の外形も、電池室１１２の形状に合わせた凹六角形になっている。このように、エンクロージャ１０の外形を電池室１１２の形状に合わせたものとすることで、掃除機筐体１００の内部のスペースを有効に活用したり、掃除機筐体１００の小型化を図ったりすることが可能である。
【００４８】
実施の形態２．
図６は、この発明の実施の形態２に係るもので、電気掃除機の全体構成を模式的に示す断面図である。
【００４９】
ここで説明する実施の形態２は、前述した実施の形態１の構成において、二次電池１１３だけでなく基板１１４もエンクロージャ１０の内側に入れるようにしたものである。以下、この実施の形態２に係る電気掃除機について、実施の形態１の構成を元にした場合を例に挙げ、実施の形態１との相違点を中心に説明する。
【００５０】
この発明の実施の形態２に係る電気掃除機は、図６に示すように、基板１１４は、エンクロージャ１０の内側に配置されている。したがって、エンクロージャ１０の内側には、二次電池１１３と基板１１４の両方が配置されている。基板１１４には、実施の形態１で説明したように、二次電池１１３の充電及び放電を制御する回路が搭載されている。他の構成については実施の形態１と同様であり、ここでは、その説明を省略する。
【００５１】
以上のように構成された電気掃除機１においても、実施の形態１と同様の効果を奏することができる。さらに、基板１１４に異常が発生した場合に、この異常によって掃除機筐体１００内に収容された基板１１４の周囲の機器等に損傷が生じることを、エンクロージャ１０によって抑制できる。また、１つのエンクロージャ１０で二次電池１１３及び基板１１４の両方の異常について対応できるため、製造費用を低く抑えることが可能である。
【符号の説明】
【００５２】
１    電気掃除機
１０    エンクロージャ
１１    多孔構造部
１２    第１の誘導部材
１００    掃除機筐体
１１０    胴体部
１１１    電動送風機
１１２    電池室
１１３    二次電池
１１４    基板
１１５    フィルタ
１１６    第２の誘導部材
１２０    管部
１２１    吸込口
１３０    取っ手部
１４１    第１の排気口
１４２    第２の排気口
１５０    開口形成面
２００    集塵部
【図１】
2019037308.tif 000003
【図２】
2019037308.tif 000004
【図３】
2019037308.tif 000005
【図４】
2019037308.tif 000006
【図５】
2019037308.tif 000007
【図６】
2019037308.tif 000008